(57)【要約】      （修正有）【課題】取り付け作業が容易で、装飾性の高い靴紐通し具を提供する。【解決手段】靴紐通し具は紐靴のアイレット３１に取り付けられるものであって、アイレット３１の径よりも大きい外寸を有するベース部１１、及びベース部１１から突出して設けられた、アイレットの径よりも小さい外寸を有する突出部１２とを有する第１部材１０と、アイレットの径よりも大きい外寸を有する頭部、及び頭部を貫通するように設けられた靴紐通し孔２２とを有する第２部材２０と、突出部１２及び頭部のいずれか一方又は両方に設けられた、突出部１２と頭部を係合する係合部とを備える。【選択図】図４
0003169777.tif 000002
【実用新案登録請求の範囲】
【請求項１】
紐靴に設けられた、靴紐を通すアイレットに取り付けられる靴紐通し具であって、
a-1) 前記アイレットの径よりも大きい外寸を有する扁平なベース部と、
a-2) 前記ベース部から突出するように設けられた、前記アイレットの径よりも小さい外寸を有する突出部と、
を有する第１部材と、
b-1) 前記アイレットの径よりも大きい外寸を有する頭部と、
b-2) 前記頭部を貫通するように設けられた、前記靴紐を通す靴紐通し孔と
を有する第２部材と
c) 前記突出部及び前記頭部のいずれか一方又は両方に設けられた、該突出部と該頭部を係合する係合部と
を備えることを特徴とする靴紐通し具。
【請求項２】
前記係合部が、前記突出部に形成された雄ねじと、前記頭部に形成された雌ねじから成ることを特徴とする請求項１に記載の靴紐通し具。
【請求項３】
前記係合部が、前記突出部及び前記頭部に設けられたスナップ式の留め具であることを特徴とする請求項１に記載の靴紐通し具。
【請求項４】
前記頭部の一部に、前記アイレットの径よりも小さい外寸を有し前記突出部を挿入可能な筒状部が形成されていることを特徴とする請求項１〜３のいずれかに記載の靴紐通し具。
【請求項５】
前記頭部の側面に凹部を備えることを特徴とする請求項１〜４のいずれかに記載の靴紐通し具。
【請求項６】
前記ベース部の下面に滑り止め処理が施されていることを特徴とする請求項１〜５のいずれかに記載の靴紐通し具。
【請求項７】
前記頭部に装飾部材が取り付けられていることを特徴とする請求項１〜６のいずれかに記載の靴紐通し具。
【考案の詳細な説明】
【技術分野】
【０００１】
本考案は、紐靴用の緊締具である靴紐通し具に関する。
【背景技術】
【０００２】
紐靴には、その両側部から立ち上がる甲部（アッパー）に、靴紐を通す孔（アイレット）がつま先側から足首側に向かって複数、2列に設けられている（以下、単に「靴」と呼んだ場合には「紐靴」を指し、単に「紐」と呼んだ場合には「靴紐」を指すものとする）。通常、紐はそれらのアイレットに直接通すが、紐を通しやすくすることや装飾効果を高めるため等の目的で、アイレットに取り付けるものであって紐を通す孔を有する靴紐通し具が用いられている。
【０００３】
特許文献１には、雄ねじと、座金と、雌ねじから成る靴紐通し具が記載されている。雄ねじの一端には円形の台座が設けられている。座金は板状の部材であり、中央に雄ねじを通す第１の孔が設けられると共に、中央からずれた位置に紐を通す第２の孔が設けられている。この靴紐通し具は、靴の内側からアイレットに雄ねじを通し、靴の外側から座金の第１の孔に雄ねじを通し、さらに雄ねじに雌ねじを締め付け、雄ねじの台座と座金でアイレットの周囲の皮革や布等を挟み込むことにより靴に取り付けられる。紐は第２の孔に通したうえで、アイレットに直接通した場合と同様に結ぶことにより、靴を足に固定する。また、この文献では、雌ねじの上部に花やキャラクターの模型、あるいは宝石等を取り付けることにより、装飾効果を高めることができるとされている。
【先行技術文献】
【特許文献】
【０００４】
【特許文献１】特開2000-354504号公報
【考案の概要】
【考案が解決しようとする課題】
【０００５】
特許文献１に記載の靴紐通し具の雄ねじ、雌ねじ及びの座金の大きさは、外径がアイレットよりもやや大きい程度である数mmであり、高さが雄ねじ及び雌ねじでは数mmからせいぜい1cm程度、座金では1mm程度又はそれ以下という、小さなものである。そのため、特許文献１に記載の靴紐通し具は、このように小さい雄ねじ、座金及び雌ねじという3個の部品を組み立てなければ使用することができず、取り付け作業が面倒である。
【０００６】
また、第２の孔の周囲の部分は、第２の孔に紐を通すために雌ねじよりも外側にはみ出しており、使用時に人の目に留まりやすい。この部分は、上部に装飾を施すことができる雌ねじとは異なり、金属製の無粋な部材から成るため、靴紐通し具の装飾性を損ねてしまう。
【０００７】
本考案が解決しようとする課題は、取り付け作業が容易であって装飾性の高い靴紐通し具を提供することである。
【課題を解決するための手段】
【０００８】
上記課題を解決するために成された本考案に係る靴紐通し具は、紐靴に設けられた、靴紐を通すアイレットに取り付けられるものであって、
a-1) 前記アイレットの径よりも大きい外寸を有する扁平なベース部と、
a-2) 前記ベース部から突出するように設けられた、前記アイレットの径よりも小さい外寸を有する突出部と、
を有する第１部材と、
b-1) 前記アイレットの径よりも大きい外寸を有する頭部と、
b-2) 前記頭部を貫通するように設けられた、前記靴紐を通す靴紐通し孔と
を有する第２部材と
c) 前記突出部及び前記頭部のいずれか一方又は両方に設けられた、該突出部と該頭部を係合する係合部と
を備えることを特徴とする。
【０００９】
本考案に係る靴紐通し具は、第１部材の突出部を靴の内側からアイレットに通し、靴の外側から第２部材を第１部材側に近づけ、係合部で突出部と頭部を係合させることにより、靴に取り付ける。ベース部及び頭部の外寸がアイレットの径よりも大きいため、係合後は靴紐通し具がアイレットから抜けることがない。
【００１０】
本考案に係る靴紐通し具では、第１部材と第２部材という2個の部品のみを用いているため、3個の部品を用いていた従来の靴紐通し具よりも取り付け作業が容易である。また、座金を用いる必要がないため、装飾性も向上する。
【００１１】
係合部には、例えば突出部に形成された雄ねじと頭部に形成された雌ねじから成るものを用いることができる。また、係合部には、突出部及び頭部から形成されるスナップ式の留め具を用いることができる。
【００１２】
本考案に係る靴紐通し具においては、前記頭部の一部に、前記アイレットの径よりも小さい外寸を有し前記突出部を挿入可能な筒状部が形成されていてもよい。この場合、突出部が筒状部に挿入され、突出部がアイレットを通過した状態で、突出部と頭部が係合される。
【００１３】
本考案に係る靴紐通し具にはさらに、前記頭部の側面に凹部を備えるようにしてもよい。この凹部に紐を掛けることにより、紐を靴紐通し孔に通さなくとも靴を紐で締めることができる。
【００１４】
前記ベース部の下面には滑り止め処理が施されていることが望ましい。指の腹でベース部の下面をアイレット側に押しつけ、あるいは第２部材で突出部を介してベース部の下面を靴のタンに押し付けて、突出部と頭部を係合させる際に第１部材が第２部材の動きに応じて不所望に回動、移動することを防ぐことができる。
【００１５】
第１部材及び第２部材の材料は特に問わないが、耐久性の点ではステンレス鋼や真鍮などの金属を、コストの点ではプラスチックを、それぞれ好適に用いることができる。また、係合部に前述のスナップ式の留め具を用いる場合には、第１部材及び第２部材の材料にはプラスチックを用いることが望ましい。
【００１６】
前記頭部には、宝石あるいはその模造品、金属製の部材に彫刻を施したものなどの装飾具を取り付けることができる。これにより、装飾性を一層高めることができる。
【考案の効果】
【００１７】
本考案に係る靴紐通し具は、座金を使用しないため、組み立て作業が容易であるうえに装飾性が高い、という効果を奏する。
【図面の簡単な説明】
【００１８】
【図１】本考案の一実施例に係る靴紐通し具１の正面図(a)及び側面図(b)。
【図２】本実施例の靴紐通し具１を第１部材１０と第２部材２０に分解した状態の正面図。
【図３】本実施例の靴紐通し具１の上面図(a)及び底面図(b)。
【図４】本実施例の靴紐通し具１を靴に取り付ける方法を説明するための図。
【図５】靴の甲部(a)に設けられたアイレットに本実施例の靴紐通し具１を取り付けた状態(b)を説明するための上面図。
【図６】本実施例の靴紐通し具１の他の使用例を示す図。
【図７】スナップ式の留め具を用いた実施例を示す正面図。
【考案を実施するための形態】
【００１９】
本考案に係る靴紐通し具の実施例を、図１〜図７を用いて説明する。
【実施例】
【００２０】
本実施例の靴紐通し具１は、図１及び図２に示すように、第１部材１０と第２部材２０から成る。第１部材１０はベース部１１と突出部１２を有し、第２部材２０は頭部２１、靴紐通し孔２２と装飾具２４を有する。
【００２１】
ベース部１１は円板状であり、突出部１２はその円板の上面中央に設けられている。突出部１２の表面に雄ねじが形成されている。頭部２１は、本体部２１１と筒状部２１２を有する。これら本体部２１１と筒状部２１２は、円柱材の一端側を切削して細くすることにより形成され、その一端側（細い方）が筒状部２１２、他端側（太い方）が本体部２１１である。靴紐通し孔２２は、本体部２１１の円柱に直交する方向に貫通する孔である。また、本体部２１１の側面には、周回するように凹部２３が設けられている。筒状部２１２内には雌ねじが形成されており、この雌ねじと突出部１２の上記雄ねじが係合部として機能する。これらベース部１１、突出部１２及び頭部２１の材料は、本実施例ではいずれもステンレス鋼である。
【００２２】
ベース部１１の外径、及び頭部２１の外径（本体部２１１の外径と筒状部２１２の外径のうち、大きい方である前者が相当）は、靴紐通し具１が取り付けられる靴のアイレット３１（図４、図５）の径よりも大きい。一方、突出部１２及び筒状部２１２の外径はアイレット３１の径よりも小さい。
【００２３】
頭部２１の上面には装飾具２４が取り付けられている（図３(a)参照）。装飾具２４は、宝石を模して、着色された透明プラスチックに模様を付したものである。ベース部１１の下面には「−」（マイナス）状の溝１３が設けられている（図３(b)）。
【００２４】
図４及び図５を用いて、本実施例の靴紐通し具１の使用方法を説明する。まず、左右２列にアイレット３１が設けられた靴のアッパー３２と、アイレット３１の下に設けられたタン３３（図５）の間に第１部材１０を入れ、アッパー３２の下側からアイレット３１に突出部１２を通す（図４(a)）。次に、アッパー３２の上側から第２部材２０を第１部材１０側に近づけ、筒状部２１２を回転させて雌ねじを突出部１２の雄ねじと係合させることにより、靴紐通し具１が靴に取り付けられる（図４(b)）。その際、ベース部１１の下面を指の腹で直接又はタン３３を介してアッパー３２側に押しながら雌ねじと雄ねじを係合させると、溝１３が滑り止めとなるため、雌ねじ側の回動につられて同方向に雄ねじ側が回動することを防ぐことができる。また、溝１３にコイン等を差し込んだ状態で雌ねじと雄ねじを係合させても、同様の効果が得られる。靴紐通し具１は、靴に設けられたアイレット３１の全てに取り付けてもよいし、一部のみに取り付けてもよい。
【００２５】
続いて、各アイレット３１に取り付けられた靴紐通し具１の靴紐通し孔２２（靴紐通し具１を取り付けていないアイレット３１がある場合にはそのアイレット３１自体）に靴紐３４を通す（図４(c), (d)、図５(b)）。各靴紐通し孔２２に靴紐３４を通す順番は、通常のようにアイレット３１に靴紐３４を通す場合と同様である。典型的には、つま先側から順に、靴紐３４の一端は左右２列に並ぶ靴紐通し具１の靴紐通し孔２２に交互に、各列では1個おきに通してゆき、靴紐３４の他端は残りの靴紐通し孔２２に通してゆく。その後、靴紐３４の両端を足首側に引くことで締めたうえで、靴紐３４を結ぶ。
【００２６】
次に、靴紐通し具１の他の使用例を説明する。この例では、靴紐通し具１を靴に取り付ける方法は上記の例と同様である（図４(a)、(b)）。靴紐３４は、靴紐通し孔２２には通さず、アイレット３１の列の外側から、凹部２３に掛けてゆく（図６）。靴紐３４を各靴紐通し具１の凹部２３に掛ける順番は、前述の例で靴紐３４を靴紐通し孔２２に通す順番と同じでよい。こうして、全ての靴紐通し具１の凹部２３に靴紐３４を掛けた後、靴紐３４の両端を足首側に引くことで締めたうえで、靴紐３４を結ぶ。
【００２７】
本実施例の靴紐通し具１は、第１部材１０と第２部材２０の2個の部品のみから成るため、従来の3個の部品から成る靴紐通し具よりも、靴への取り付けをしやすい。また、無粋な座金を用いる必要がないため、装飾性が高い。
【００２８】
係合部は雄ねじと雌ねじを組み合わせたものには限られず、例えば図７に示すように、第１部材１０Ａに設けられた突出部１２Ａと、第２部材２０Ａに設けられた筒状部２１２Ａで1組のスナップ式の留め具を構成するようにしてもよい。第１部材１０Ａのベース部１１Ａと突出部１２Ａはいずれも、プラスチックのように可撓性のある材料から成る。突出部１２Ａは、ベース部１１Ａから突出するように設けられた円柱１２Ａ１と、円柱１２Ａ１の径方向に貫き、円柱１２Ａ１の上端から下端まで形成された縦溝１２Ａ２と、円柱１２Ａ１の上端であって縦溝１２Ａ２の両端の位置に、径方向に突出するように設けられた凸係合部１２Ａ３を有する。筒状部２１２Ａには、内部を長手方向に貫き、円柱１２Ａ１の外径とほぼ同じ径を有する貫通孔２１２Ａ１と、円柱１２Ａ１の下端と凸係合部１２Ａ３の距離と同じ距離だけ、筒状部２１２Ａの下端から離れた位置に設けられた、凸係合部１２Ａ３と係合する凹係合部２１２Ａ２が設けられている。このように円柱１２Ａ１の外径と貫通孔２１２Ａ１の内径がほぼ等しいため、円柱１２Ａ１から径方向に突出する凸係合部１２Ａ３の径は貫通孔２１２Ａ１の内径よりも大きい。
【００２９】
第１部材１０Ａへの第２部材２０Ａの固定は以下のように行う。突出部１２Ａを貫通孔２１２Ａ１に挿入しようとすると、凸係合部１２Ａ３は、貫通孔２１２Ａ１の内壁に当接し、縦溝１２Ａ２側に押される。この時、円柱１２Ａ１が可撓性を有することから、凸係合部１２Ａ３が縦溝１２Ａ２側（円柱１２Ａ１の径方向）に移動するため、凸係合部１２Ａ３を貫通孔２１２Ａ１内に挿入することができる。そして、突出部１２Ａをさらに押し込むことで凸係合部１２Ａ３が凹係合部２１２Ａ２まで達すると、凸係合部１２Ａ３が元に位置に戻ろうとして円柱１２Ａ１の径方向の外側に移動することにより、凸係合部１２Ａ３と凹係合部２１２Ａ２が係合する。こうして、第１部材１０Ａに第２部材２０Ａが固定される。一方、ベース部１１Ａを変形させることで、凸係合部１２Ａ３を縦溝１２Ａ２側に移動させた状態で突出部１２Ａを貫通孔２１２Ａ１から引き抜くことにより、第２部材２０Ａを第１部材１０Ａから取り外すことができる。
【００３０】
本考案は上記実施例には限定されない。例えば、ベース部１１、突出部１２及び頭部２１の材料は、上述のステンレス鋼やプラスチックの他に、真鍮など、他の材料などを用いることができる。また、頭部２１に筒状部２１２を設けることは必須ではなく、例えば本体部２１１のみを設けたうえで、その下面側に直接孔を空けて雌ねじを形成してもよい。ベース部１１の下面にマイナス状の溝１３を設けることも必須ではなく、他の形状の溝を設けてもよいし、溝が無くてもよい。また、溝１３と同様の滑り止めの目的でベース部１１の下面に凹凸を多数設けてもよい。
【００３１】
装飾具２４は図３(a)の模様のものには限られず、また、装飾具２４を設けなくてもよい。装飾具２４の材質も上記のものには限られず、不透明なプラスチックや各種の金属などを用いることができる。
【符号の説明】
【００３２】
１…靴紐通し具
１０、１０Ａ…第１部材
１１、１１Ａ…ベース部
１２…突出部
１２Ａ…突出部
１２Ａ１…円柱
１２Ａ２…縦溝
１２Ａ３…凸係合部
１３…溝
２０、２０Ａ…第２部材
２１…頭部
２１１…本体部
２１２、２１２Ａ…筒状部
２１２Ａ１…貫通孔
２１２Ａ２…凹係合部
２２…靴紐通し孔
２３…凹部
２４…装飾具
３１…アイレット
３２…アッパー
３３…タン
３４…靴紐
【図１】
0003169777.tif 000003
【図２】
0003169777.tif 000004
【図３】
0003169777.tif 000005
【図４】
0003169777.tif 000006
【図５】
0003169777.tif 000007
【図６】
0003169777.tif 000008
【図７】
0003169777.tif 000009